(57)【要約】【課題】コンテンツの着信通知を受けたときに、一連の内容確認操作を行うことなく、その内容の概要を知り得るようにする。【解決手段】情報信号を受信する受信手段と、受信手段での情報信号の着信に応じて、その受信情報信号が示す情報の内容を解析する受信情報解析手段と、この受信情報解析手段により解析された受信情報信号の内容を示すアニメーションデータを作成するアニメーション作成部３と、作成されたアニメーションデータを表示する表示部４とを備え、受信手段への情報信号の着信に応じて、表示部４による表示を自動的に行う。【選択図】　図１
2004054343.tif 000002
【特許請求の範囲】
【請求項１】
情報信号を受信する受信手段と、
この受信手段での情報信号の着信に応じて、その受信情報信号が示す情報の内容を解析する受信情報解析手段と、
この受信情報解析手段により解析された前記受信情報信号の内容を示す報知情報信号を作成する報知情報作成手段と、
前記報知情報信号に基づいた報知動作を行う報知手段とを備え、
前記受信手段への情報信号の着信に応じて、前記報知手段による報知動作を自動的に行うことを特徴とする情報受信通知装置。
【請求項２】
少なくとも前記受信手段を有する第１装置と少なくとも前記報知手段を有する第２装置とを備え、第１装置は第２装置への信号の送信を行う送信手段をさらに有し、第２装置は第１装置から送信された信号の受信を行う受信手段をさらに有していることを特徴とする請求項１に記載の情報受信通知装置。
【請求項３】
情報信号を受信する受信手段と、
この受信手段での情報信号の着信に応じて、その受信情報信号が示す情報の内容を解析する受信情報解析手段と、
この受信情報解析手段により解析された前記受信情報信号の内容を示す表示情報信号を作成する表示情報作成手段と、
前記表示情報信号を表示する表示手段とを備え、
前記受信手段への情報信号の着信に応じて、前記表示情報信号を前記表示手段により自動的に表示することを特徴とする情報受信通知装置。
【請求項４】
前記受信情報解析手段により解析された受信情報信号の内容を示す音声情報信号を作成する音声情報作成手段と、
前記音声情報信号を再生するとともに、この再生を、再生する音声情報信号に対応する前記表示情報信号が前記表示手段に表示されているときに行う音声情報再生手段とをさらに備え、
前記表示手段は、前記音声情報再生手段により再生される音声情報信号の信号量に応じて、対応する表示情報信号の表示時間を設定することを特徴とする請求項３に記載の情報受信通知装置。
【請求項５】
前記受信情報信号がテキストデータであることを特徴とする請求項４に記載の情報受信通知装置。
【請求項６】
前記受信情報信号が音声信号であり、前記表示情報信号がテキストデータであることを特徴とする請求項３に記載の情報受信通知装置。
【請求項７】
前記受信情報信号が音声信号であり、前記表示手段は、前記音声信号の信号量に応じて、対応する表示情報信号の表示時間を設定することを特徴とする請求項３に記載の情報受信通知装置。
【請求項８】
情報信号を受信する受信手段と、
この受信手段での情報信号の着信に応じて、その受信情報信号が示す情報の内容を解析する受信情報解析手段と、
この受信情報解析手段により解析された前記受信情報信号の内容を示す音声情報信号を作成する音声情報作成手段と、
前記音声情報信号を再生する音声情報再生手段とを備え、
前記受信手段への情報信号の着信に応じて、前記音声情報信号を前記音声情報再生手段により自動的に再生することを特徴とする情報受信通知装置。
【請求項９】
前記報知情報作成手段により作成された報知情報信号についての入力手段からの報知可否の入力に基づいて、前記報知手段への報知情報信号の供給を制御する管理手段を備えていることを特徴とする請求項１に記載の情報受信通知装置。
【請求項１０】
前記表示情報作成手段により作成される前記表示情報信号はアニメーションデータであることを特徴とする請求項３に記載の情報受信通知装置。
【請求項１１】
情報信号の着信に応じて、その受信情報信号が示す情報の内容を解析するステップと、
解析された前記受信情報信号の内容を示す報知情報信号を作成するステップと、
前記報知情報信号に基づいた報知動作を行うステップとを備え、
前記情報信号の着信に応じて、前記報知動作を自動的に行うことを特徴とする情報受信通知方法。
【請求項１２】
コンピュータに、請求項１１に記載の各ステップを実行させるためのプログラム。
【請求項１３】
請求項１２に記載のプログラムを記録したコンピュータ読み取り可能な記録媒体。
【発明の詳細な説明】
【０００１】
【発明の属する技術分野】
本発明は、例えば、通信ネットワークを介して電話信号やＥメールなどの情報信号を受信したときに、ユーザに情報信号の着信を通知する情報受信通知装置、情報受信通知方法、プログラムおよび記録媒体に関するものである。
【０００２】
【従来の技術】
従来、電話信号やＥメールなどのコンテンツが、携帯電話機や宅内のパーソナルコンピュータ（以下、ＰＣと略称する）、あるいは固定電話機等の端末装置に着信した場合、ユーザにその着信を知らせる方法として、ベル音を鳴らすこと、ＬＥＤを点滅させること、メロディを鳴らすこと、もしくは端末装置を振動させることなどが行われている。
【０００３】
また、端末装置が表示装置を有する場合には、表示画面に動画像を表示させること、あるいは特開２０００−１１５３０４に記載されているように、あらかじめ記憶しているアニメーションを表示させることなどにより、コンテンツの着信通知が行われている。
【０００４】
また、あらかじめコンテンツの送信者が登録されている場合には、コンテンツの着信時に送信者情報をユーザに通知することも行われている。例えば、着信時に送信者別に異なるメロディを鳴らすこと、複数色のＬＥＤを用意しておき、送信者別に色の異なるＬＥＤを点滅させることなどである。
【０００５】
【発明が解決しようとする課題】
しかしながら、上記従来の構成では、ユーザは、コンテンツの着信通知を受けたときに、その着信通知によってコンテンツの内容を知ることができない。したがって、コンテンツの内容を知るためには、着信を確認した後、端末装置を操作して所望のコンテンツを表示させるなどの作業が必要となる。このため、ユーザは、着信したコンテンツが重要であるか否かに関わらず、端末装置に対して一連の操作を行ってコンテンツの内容を確認しなければならない。
【０００６】
したがって、本発明は、コンテンツの着信通知を受けたときに、着信したコンテンツについての一連の内容確認操作を行うことなく、コンテンツの内容の概要を知ることができる情報受信通知装置、情報受信通知方法、プログラムおよび記録媒体オペレータの提供を目的としている。
【０００７】
【課題を解決するための手段】
上記の課題を解決するために、本発明の情報受信通知装置は、情報信号、例えばコンテンツを受信する受信手段と、この受信手段での情報信号の着信に応じて、その受信情報信号が示す情報の内容を解析する受信情報解析手段と、この受信情報解析手段により解析された前記受信情報信号の内容を示す報知情報信号、例えばアニメーションデータを作成する報知情報作成手段と、前記報知情報信号に基づいた報知動作を行う報知手段とを備え、前記受信手段への情報信号の着信に応じて、前記報知手段による報知動作を自動的に行うことを特徴としている。
【０００８】
また、本発明の情報受信通知方法は、情報信号の着信に応じて、その受信情報信号が示す情報の内容を解析するステップと、解析された前記受信情報信号の内容を示す報知情報信号を作成するステップと、前記報知情報信号に基づいた報知動作を行うステップとを備え、前記情報信号の着信に応じて、前記報知動作を自動的に行うことを特徴としている。
【０００９】
上記の構成によれば、情報信号の着信があった場合、その受信情報信号が解析され、受信情報信号の内容を示す報知情報信号が作成され、この報知情報信号に基づいた報知動作が行われる。
【００１０】
この場合、上記一連の動作は自動的に行われ、また情報信号の着信があったことのみに止まらず、受信情報信号の内容、例えば情報信号の発信者名やその情報信号に示されている要件、連絡事項までもが報知される。したがって、ユーザは、情報信号の着信通知を受けたときに、着信した情報信号についての一連の内容確認操作、例えば着信したＥメールを開くといった操作を行うことなく、受信情報信号の内容の概要を知ることができる。これにより、高い利便性を備えることができる。
【００１１】
上記の情報受信通知装置は、少なくとも前記受信手段を有する第１装置と少なくとも前記報知手段を有する第２装置とを備え、第１装置は第２装置への信号の送信を行う送信手段をさらに有し、第２装置は第１装置から送信された信号の受信を行う受信手段をさらに有している構成としてもよい。
【００１２】
上記の構成によれば、報知手段、例えば表示部を有する第２装置を、例えば電話回線に接続された受信手段を有する第１装置とは離れた位置、即ち報知手段による着信の報知を確認し易い位置に配置することができ、装置の利便性をさらに高めることができる。
【００１３】
本発明の情報受信通知装置は、情報信号を受信する受信手段と、この受信手段での情報信号の着信に応じて、その受信情報信号が示す情報の内容を解析する受信情報解析手段と、この受信情報解析手段により解析された前記受信情報信号の内容を示す表示情報信号を作成する表示情報作成手段と、前記表示情報信号を表示する表示手段とを備え、前記受信手段への情報信号の着信に応じて、前記表示情報信号を前記表示手段により自動的に表示することを特徴としている。
【００１４】
上記の構成によれば、情報信号の着信があった場合、その受信情報信号が解析され、受信情報信号の内容を示す表示情報信号が作成され、この表示情報信号が表示手段に表示される。なお、表示情報信号としては、動画、静止画あるいは漫画等、いずれの種類のものであってもよい。
【００１５】
この場合、上記一連の動作は自動的に行われ、また情報信号の着信があったことのみに止まらず、受信情報信号の内容、例えば情報信号の発信者名やその情報信号に示されている要件、連絡事項までもが表示手段に表示される。したがって、ユーザは、情報信号の着信通知を受けたときに、着信した情報信号についての一連の内容確認操作、例えば着信したＥメールを開くといった操作を行うことなく、受信情報信号の内容の概要を知ることができる。これにより、高い利便性を備えることができる。
【００１６】
上記の情報受信通知装置は、前記受信情報解析手段により解析された受信情報信号の内容を示す音声情報信号を作成する音声情報作成手段と、前記音声情報信号を再生するとともに、この再生を、再生する音声情報信号に対応する前記表示情報信号が前記表示手段に表示されているときに行う音声情報再生手段とをさらに備え、前記表示手段は、前記音声情報再生手段により再生される音声情報信号の信号量に応じて、対応する表示情報信号の表示時間を設定する構成としてもよい。また、前記受信情報信号がテキストデータである構成としてもよい。
【００１７】
上記の構成によれば、受信情報信号の内容に基づいて作成された表示情報信号が表示手段に表示されるだけでなく、受信情報信号の内容に基づいて作成された音声情報信号が音声情報再生手段により再生される。しかも、この場合には、音声情報再生手段により再生される音声情報信号の信号量に応じて、対応する表示情報信号の表示時間が設定される。したがって、情報信号の着信およびその内容を視覚に加えて聴覚も利用して確実にユーザに知らせることができ、しかも、表示情報信号の表示と音声情報信号の再生とをバランスよく行うことができる。
【００１８】
上記の情報受信通知装置は、前記受信情報信号が音声信号であり、前記表示情報信号がテキストデータである構成としてもよい。
【００１９】
上記の構成によれば、テキストデータを使用するＥメールに対しても適切に対応することができる。
【００２０】
上記の情報受信通知装置は、前記受信情報信号が音声信号であり、前記表示手段が、前記音声信号の信号量に応じて、対応する表示情報信号の表示時間を設定する構成としてもよい。
【００２１】
上記の構成によれば、情報信号として受信された音声信号は、受信情報解析手段により解析され、表示情報信号に変換され、表示手段により表示される。この場合、表示情報信号の表示時間は受信情報信号としての音声信号の信号量に応じて設定されるので、表示情報信号をユーザがその内容を確認する上において適切な時間だけ表示することができる。
【００２２】
本発明の情報受信通知装置は、情報信号を受信する受信手段と、この受信手段での情報信号の着信に応じて、その受信情報信号が示す情報の内容を解析する受信情報解析手段と、この受信情報解析手段により解析された前記受信情報信号の内容を示す音声情報信号を作成する音声情報作成手段と、前記音声情報信号を再生する音声情報再生手段とを備え、前記受信手段への情報信号の着信に応じて、前記音声情報信号を前記音声情報再生手段により自動的に再生することを特徴としている。
【００２３】
上記の構成によれば、情報信号の着信があった場合、その受信情報信号が解析され、受信情報信号の内容を示す音声情報信号が作成され、この音声情報信号が音声情報再生手段にて再生される。
【００２４】
この場合、上記一連の動作は自動的に行われ、また情報信号の着信があったことのみに止まらず、受信情報信号の内容、例えば情報信号の発信者名やその情報信号に示されている要件、連絡事項までもが音声情報再生手段にて再生される。したがって、ユーザは、情報信号の着信通知を受けたときに、着信した情報信号についての一連の内容確認操作、例えば着信したＥメールを開くといった操作を行うことなく、受信情報信号の内容の概要を知ることができる。これにより、高い利便性を備えることができる。
【００２５】
上記の情報受信通知装置は、前記報知情報作成手段により作成された報知情報信号についての入力手段からの報知可否の入力に基づいて、前記報知手段への報知情報信号の供給を制御する管理手段を備えている構成としてもよい。
【００２６】
上記の構成によれば、ユーザの希望により、各報知情報信号についての報知の可否を設定することができるので、装置の利便性を高めることができる。
【００２７】
上記の情報受信通知装置において、前記表示情報作成手段により作成される前記表示情報信号はアニメーションデータである構成としてもよい。
【００２８】
上記の構成によれば、表示情報信号を視認性が良好なアニメーションとして表示することができる。
【００２９】
【発明の実施の形態】
〔実施の形態１〕
本発明の実施の一形態を以下に説明する。
本発明の実施の一形態におけるコンテンツ受信通知装置は、例えば、携帯電話機に組み込まれ、着信用アニメーションの作成装置として利用される。あるいはインターネットに繋がったパーソナルコンピュータ（以下、ＰＣと略称する）に組み込まれ、アニメーションにて例えばＥメールの着信をユーザに通知する装置として利用される。
【００３０】
図１は、本実施の形態のコンテンツ受信通知装置１の構成を示すブロック図である。６はインターネットあるいは電話公衆網などの通信ネットワークであり、５は通信ネットワーク６とコンテンツ受信通知装置１の間でデータのやり取りをする電話回線や無線などの通信路５である。通信ネットワーク６には複数のユーザの端末装置が接続されており、それら端末装置から通信ネットワーク６および通信路５を介してコンテンツ受信通知装置１にデータが送られてくる。
【００３１】
コンテンツ受信通知装置１では、通信路５を介して送られてきたコンテンツ（受信情報信号）を受信部２にて受信すると、このコンテンツに基づいてアニメーション作成部３がアニメーションデータ（表示情報信号、報知情報信号）を作成し、そのアニメーションデータが表示部４にて表示される。また、音声再生部７は、上記アニメーションデータに基づいて音声による再生を適宜行う。
【００３２】
以下の説明においては、コンテンツ受信通知装置１がコンテンツとして例えばＥメールを受信する場合について説明する。なお、コンテンツとしては、Ｅメールに限定されることなく、その他の種々の情報であってもよい。
【００３３】
コンテンツ受信通知装置１において、受信部２は、図２に示すようにＥメール受信部１１とＥメール解析部１２とを備えている。Ｅメール受信部１１は、通信路５を介して通信ネットワーク６と接続され、通信ネットワーク６上の例えばメールサーバと通信を行い、コンテンツ受信通知装置１宛てのＥメールを取得する。
【００３４】
Ｅメール解析部１２は、Ｅメール中の予め指定されている項目について、そこに示されている内容を抽出し、アニメーション作成部３に与える。上記項目としては、Ｅメール中の”Ｔｏ”、”Ｆｒｏｍ”および”Ｓｕｂｊｅｃｔ”等である。
【００３５】
図３にはアニメーション作成部３の機能ブロック図を示す。アニメーション作成部３は、新規アニメーションデータを生成する際の元データとなる雛型アニメーションデータを管理する雛型アニメーションデータベース３１と、雛型アニメーションデータを取得する雛型アニメーションデータ取得部３２を備えている。
【００３６】
アニメーション作成部３はさらに、新規アニメーションデータを生成する際に部品となるアニメパーツデータを管理するアニメパーツデータベース３３と、アニメパーツデータを取得するアニメパーツデータ取得部３４を備えている。
【００３７】
アニメーション作成部３はさらに、受信部２からの情報を元に、雛型アニメーションデータとアニメパーツデータを加工して新規アニメーションデータを生成するデータ加工部３５を備えている。
【００３８】
上記の構成において、コンテンツ受信通知装置１がコンテンツとしてＥメールを受信した場合の動作について説明する。
【００３９】
図４にはＥメールの概略構成を示す。このＥメールは、同図に示すように、ヘッダー部５１と本文部５２とを有する。ヘッダー部５１には、差出人やあて先などを表すために、予め規定された項目が設けられている。図４の例では、”Ｒｅｃｅｉｖｅｄ：”、”Ｍｅｓｓａｇｅ−ＩＤ：”、”Ｆｒｏｍ：”、”Ｔｏ：”、”Ｓｕｂｊｅｃｔ：”および”Ｄａｔｅ：”の各項目が設けられている。
【００４０】
上記の各項目について説明すると、”Ｒｅｃｅｉｖｅｄ：”にはＥメールが通信ネットワーク６を通過する際に経由した通過点が記され、”Ｍｅｓｓａｇｅ−ＩＤ：”にはＥメールのＩＤ番号が記され、”Ｆｒｏｍ：”にはＥメールの差出人のメールアドレスが記され、”Ｔｏ：”にはあて先のメールアドレスが記され、”Ｓｕｂｊｅｃｔ：”には件名が記され、”Ｄａｔｅ：”にはＥメールが発信された時刻が記されている。
【００４１】
また、本文部５２には”「荷物（柿）届きましたか？」っておばあちゃんがいってましたよ。”と記されている。
【００４２】
コンテンツ受信通知装置１の受信部２は、Ｅメールを受信すると、その内容を解析し、必要な要素を抽出する。この場合、受信部２は、本文部５２を抽出するとともに、アニメーションの作成に必要となるヘッダー部５１の項目の全てあるいは一部抽出する。ここでは、ヘッダー部５１の項目として、”Ｆｒｏｍ：”、”Ｔｏ：”、”Ｓｕｂｊｅｃｔ：”および”Ｄａｔｅ：”が抽出された場合について説明する。
【００４３】
アニメーション作成部３では、受信部２にて抽出されたデータをアニメーションデータに変換する。
【００４４】
図５はアニメーション作成に用いるアニメーションデータの雛型を説明する図である。この雛型アニメーションデータは、雛型アニメーションデータ取得部３２により雛型アニメーションデータベース３１から取得されデータ加工部３５に渡される。
【００４５】
雛型アニメーションデータは第１〜第３の３つのフレーム６１〜６３から構成されており、それぞれのフレーム６１〜６３は表示部４において２秒ずつ表示されるように制御される。即ち、第１フレーム６１が時刻０秒から時刻２秒まで表示され、第２フレーム６２が時刻２秒から時刻４秒まで表示され、第３フレーム６３が時刻４秒から時刻６秒まで表示される。その後、第１フレーム６１が時刻６秒から時刻８秒まで表示され、以後同様に３つのフレーム６１〜６３が繰り返し表示される。
【００４６】
各フレーム６１〜６３にはいくつかのアニメーションパーツが埋め込まれている。これらアニメーションパーツは、受信部２にて抽出されたＥメールの項目が示す内容に応じて、アニメーション作成部３により適宜変更される。ここでは、アニメーションパーツとして、Ｔｏ：Ｐａｒｔｓ６４、Ｄａｔｅ：Ｐａｒｔｓ６５、Ｆｒｏｍ：Ｐａｒｔｓ６６、Ｓｕｂｊｅｃｔ：Ｐａｒｔｓ６７およびＢｏｄｙ：Ｐａｒｔｓ６８があり、Ｔｏ：Ｐａｒｔｓ６４およびＤａｔｅ：Ｐａｒｔｓ６５が第１フレーム６１に埋め込まれ、Ｆｒｏｍ：Ｐａｒｔｓ６６が第２フレーム６２に埋め込まれ、Ｓｕｂｊｅｃｔ：Ｐａｒｔｓ６７およびＢｏｄｙ：Ｐａｒｔｓ６８が第３フレーム６３に埋め込まれているものとする。そして各雛型アニメーションには埋め込まれているアニメーションパーツとＥメールの項目の対応表７２（図８）が付随しているものとする。
【００４７】
アニメーション作成部３におけるデータ加工部３５では、受信部２において抽出されたＥメールの項目に基づき、次のようにして各アニメーションパーツの作成、即ちアニメーションデータの作成を行う。
【００４８】
”Ｔｏ：”項目について、アニメーション作成部３におけるアニメパーツデータベース３３は、図６に示すように、メールアドレスとそれに対応するアニメーションパーツとの対応表７１を予め備えている。この対応表７１に登録されているアニメーションパーツの例を図７（ａ）〜図７（ｃ）に示す。即ち、図７（ａ）はＴｏＴａｒｏｕ．ｐａｒｔｓであり、図７（ｂ）はＴｏＭｉｓａｅ．ｐａｒｔｓであり、図７（ｃ）はＴｏＫｅｎｎｊｉ．ｐａｒｔｓである。
【００４９】
データ加工部３５はメールアドレスをアニメパーツデータ取得部３４に渡し、アニメパーツデータ取得部３４はこのアドレスとアニメパーツデータベース３３が有する対応表７１から指定されるアニメパーツを選定しデータ加工部にアニメパーツを渡す。
【００５０】
図４に示したＥメールにおける”Ｔｏ”項目の内容は、＜ｔａｒｏｕ＠ｘｘｘ．ｃｏ．ｊｐ＞であるので、ここでは、この”Ｔｏ”項目に対応するＴｏＴａｒｏｕ．ｐａｒｔｓが選択されることになる。
【００５１】
次に、アニメーション作成部３におけるアニメパーツデータベース３３は、雛型アニメーションデータに埋め込まれているアニメーションパーツと抽出されたＥメールの項目との対応表７２（図８）を参照し、Ｔｏ：Ｐａｒｔｓ６４をＴｏＴａｒｏｕ．ｐａｒｔに置き換える。図８は、対応表７２に登録されているアニメーションパーツの例である。上記の置き換えにより、雛型アニメーションデータの第１フレーム６１には、図９に示すように、アニメーションパーツとして、手紙の絵と「太郎さーん！メールが届いたよ」というテキストとを組み合わせたＴｏＴａｒｏｕ．ｐａｒｔ８１が埋め込まれる。
【００５２】
”Ｆｒｏｍ：”項目についても、アニメパーツデータベース３３は”Ｔｏ：”項目の場合と同様に、メールアドレスとそれに対応するアニメーションパーツとの対応表７１（図６）に相当する対応表（図示せず）を備えている。
【００５３】
データ加工部３５はメールアドレスをアニメパーツデータ取得部３４に渡し、アニメパーツデータ取得部３４はこのアドレスとアニメパーツデータベース３３が有する対応表７１に相当する対応表から指定されるアニメパーツを選定しデータ加工部にアニメパーツを渡す。
【００５４】
したがって、データ加工部３５は、”Ｆｒｏｍ：”項目の内容（＜ｈａｎａｋｏ＠ｙｙｙ．ｎｅ．ｊｐ＞）に対応するアニメーションパーツ（ＦｒｏｍＨａｎａｋｏ．ｐａｒｔ）をアニメパーツデータ取得部３４から取得し、さらに雛型アニメーションデータに埋め込まれているアニメーションパーツと抽出されたＥメールの項目との対応表７２（図８）を参照して、Ｆｒｏｍ：Ｐａｒｔｓ６６を、選択した上記のアニメーションパーツ（ＦｒｏｍＨａｎａｋｏ．ｐａｒｔ）に置き換える。この置き換えにより、雛型アニメーションデータの第２フレーム６２には、図９に示すように、アニメーションパーツとして、「花子さんからだ！」というテキストをアニメ化したＦｒｏｍＨａｎａｋｏ．ｐａｒｔ８３が埋め込まれる。
【００５５】
”Ｄａｔｅ：”項目について、データ加工部３５は、”Ｄａｔｅ：”項目の内容に応じてテキストを作成し、それをアニメ化してアニメーションパーツを作成し、雛型アニメーションデータに埋め込まれているアニメーションパーツと抽出されたＥメールの項目との対応表７２を参照し、Ｄａｔｅ：Ｐａｒｔｓ６５を、作成した上記のアニメーションパーツに置き換える。この場合、”Ｄａｔｅ：”項目の内容は、図４に示すように、「Ｗｅｄ，　７　Ｎｏｖ　２００１　１９：３０：４９　＋０９００」であり、これに基づいて「１１月７日ＰＭ７：３０」というテキストをアニメ化したアニメーションパーツ（メール日時パーツ）が作成される。上記の置き換えにより、雛型アニメーションデータの第１フレーム６１には、図９に示すように、アニメーションパーツとして、メール日時パーツ８２が埋め込まれる。
【００５６】
”Ｓｕｂｊｅｃｔ：”項目についても同様に、データ加工部３５は、”Ｓｕｂｊｅｃｔ：”項目の内容に応じてテキストを作成し、それをアニメ化してアニメーションパーツを作成し、雛型アニメーションデータに埋め込まれているアニメーションパーツと抽出されたＥメールの項目との対応表７２を参照し、Ｓｕｂｊｅｃｔ：Ｐａｒｔｓ６７を、作成した上記のアニメーションパーツに置き換える。この場合、”Ｓｕｂｊｅｃｔ：”項目の内容は、図４に示すように、「荷物」であり、これに基づいて、「荷物」に下線を施したものをアニメ化したアニメーションパーツ（メール題目パーツ）が作成される。上記の置き換えにより、雛型アニメーションデータの第３フレーム６３には、図９に示すように、アニメーションパーツとして、メール題目パーツ８４が埋め込まれる。
【００５７】
”本文”は、図４の本文部５２に示されているように、内容がテキストであるから、データ加工部３５は、それをアニメ化してアニメーションパーツを作成し、雛型アニメーションデータに埋め込まれているアニメーションパーツと抽出されたＥメールの項目との対応表７２を参照し、Ｂｏｄｙ：Ｐａｒｔｓ６８を、作成した上記のアニメーションパーツに置き換える。この場合、”本文”の内容は、図４に示すように、”「荷物（柿）届きましたか？」っておばあちゃんがいってましたよ。”であり、このテキストをアニメ化したアニメーションパーツ（メール本文パーツ）が作成される。上記の置き換えにより、雛型アニメーションデータの第３フレーム６３には、図９に示すように、アニメーションパーツとしてメール本文パーツ８５が埋め込まれる。
【００５８】
以上の処理により、雛型アニメーションデータにおけるアニメーションパーツの置き換えが完了し、図９に示すように、受信したＥメールについてのアニメーションデータが完成する。
【００５９】
このようにして作成されたアニメーションデータは、コンテンツ受信通知装置１の表示部４に表示され、ユーザに提示される。これにより、ユーザはＥメールが届いたことを知り同時にその内容を知ることができる。
【００６０】
図１０は、本実施の形態におけるコンテンツ受信通知装置１がＥメールを受信してからユーザにＥメールの受信を通知するまでの処理の流れを示すフローチャートである。
【００６１】
まず、受信部２がＥメールを受信する（Ｓ１１）。受信部２は受信したＥメールの解析を行い、ヘッダー部５１の”Ｆｒｏｍ：”項目、”Ｔｏ：”項目、”Ｓｕｂｊｅｃｔ：”項目および”Ｄａｔｅ：”項目と、本文部５２の”本文”を抽出する（Ｓ１２）。
【００６２】
次に、アニメーション作成部３は、受信部２において抽出された各項目の内容に基づいて、各項目毎にアニメーションパーツを作成する（Ｓ１３）。次に、アニメーション作成部３は、作成した各アニメーションパーツを雛型アニメーションデータに埋め込み、アニメーションデータの作成を終了する（Ｓ１４）。
【００６３】
次に、表示部４は、アニメーション作成部３において作成されたアニメーションデータを表示する。なお、アニメーションデータの表示に際しては、着信音を併用して、聴覚的にもＥメールの着信をユーザに知らせることが効果的である。
【００６４】
また、本実施の形態において、アニメーションデータを作成するための雛型アニメーションデータは、１種類のみ雛型アニメーションデータベース３１に記憶されている場合について説明したが、複数種類が雛型アニメーションデータベース３１に記憶されており、そのうちから１種類を選択するようにしてもよい。
【００６５】
また、本実施の形態においては、Ｅメールの本文部５２がテキストのみからなる場合について説明したが、本実施の形態の構成は、これに限定されることなく、本文部５２に画像データやアニメーションデータが添付されている場合にも適用可能である。
【００６６】
また、Ｅメールの本文部５２のデータが大量である場合には、本文部５２の最初の一部分をアニメーションデータとする構成であってもよい。
【００６７】
〔実施の形態２〕
本発明の実施の他の形態を以下に説明する。
本実施の形態のコンテンツ受信通知装置１０１（図１参照）は、実施の形態１における、受信した例えばＥメールに基づくアニメーションデータの作成機能に加えて、さらに、作成したアニメーションデータを音声により再生する機能を備えている。このために、コンテンツ受信通知装置１０１は、図１１に示すように、テキストデータを音声データに変換するテキスト／音声変換部（音声情報作成手段）１０４を有するアニメーション作成部１０３を備えている。また、アニメーション作成部１０３は、上記音声データの再生時間に応じて、作成したアニメーションデータの表示時間を修正する構成となっている。以下、その詳細について説明する。
【００６８】
図１２は、本実施の形態において、雛型アニメーションデータベース３１に格納されている雛型アニメーションデータの説明図である。この雛型アニメーションデータには、図５に示した雛型アニメーションデータにおいて、ボイスアニメーションパーツとして、Ｖｏｉｃｅ１：Ｐａｒｔｓ１１１が第１フレーム６１に、Ｖｏｉｃｅ２：Ｐａｒｔｓ１１２が第２フレーム６２に、Ｖｏｉｃｅ３：Ｐａｒｔｓ１１３が第３フレーム６３にさらに埋め込まれている。ただし、これら３つのボイスアニメーションパーツは音声データが埋め込まれるパーツであり、アニメーションデータが表示されるときに視覚化されない。そして各雛型アニメーションには埋め込まれているアニメーションパーツとＥメールの項目の対応表１２２（図１４）が付随しているものとする。
【００６９】
”Ｔｏ：”項目について、アニメーション作成部１０３におけるアニメパーツデータベース３３は、図１３に示すように、メールアドレスとそれに対応するボイスアニメーションパーツとの対応表１２１をさらに予め備えている。
【００７０】
データ加工部３５はメールアドレスをアニメパーツデータ取得部３４に渡し、アニメパーツデータ取得部３４はこのアドレスとアニメパーツデータベース３３が有する対応表１２２から指定されるアニメパーツを選定しデータ加工部にアニメパーツを渡す。
【００７１】
図４に示したＥメールにおける”Ｔｏ”項目の内容は、＜ｔａｒｏｕ＠ｘｘｘ．ｃｏ．ｊｐ＞であるので、ここでは、ボイスアニメーションパーツとして、この”Ｔｏ”項目に対応する「タロウサン、メールガトドイタヨ」というパーツが選択されることになる。
【００７２】
次に、アニメーション作成部１０３におけるアニメパーツデータベース３３は、雛型アニメーションデータに埋め込まれているアニメーションパーツと抽出されたＥメールの項目との対応表１２２（図１４）を参照し、Ｖｏｉｃｅ１：Ｐａｒｔｓ１１１を「タロウサン、メールガトドイタヨ」というボイスアニメーションパーツに置き換える。ここでは音声データとして表記をカタカナで記したものを用いている。この置き換えにより、雛型アニメーションデータの第１フレーム６１には、ボイスアニメーションパーツとして、「タロウサン、メールガトドイタヨ」というパーツが埋め込まれる。なお、Ｔｏ：Ｐａｒｔｓ６４およびＤａｔｅ：Ｐａｒｔｓ６５の置き換えについては前述の通りである。
【００７３】
”Ｆｒｏｍ：”項目についても、アニメパーツデータベース３３は”Ｔｏ：”項目の場合と同様に、メールアドレスとボイスアニメーションパーツとの対応表１２１（図１３）に相当する対応表（図示せず）を備えている。
【００７４】
データ加工部３５はメールアドレスをアニメパーツデータ取得部３４に渡し、アニメパーツデータ取得部３４はこのアドレスとアニメパーツデータベース３３が有する対応表１２１に相当する対応表から指定されるアニメパーツを選定しデータ加工部にアニメパーツを渡す。
【００７５】
したがって、データ加工部３５は、”Ｆｒｏｍ：”項目の内容（＜ｈａｎａｋｏ＠ｙｙｙ．ｎｅ．ｊｐ＞）に対応するボイスアニメーションパーツをアニメパーツデータ取得部３４から取得し、さらに雛型アニメーションデータに埋め込まれているアニメーションパーツと抽出されたＥメールの項目との対応表１２２（図１４）を参照して、Ｖｏｉｃｅ１：Ｐａｒｔｓ１１２を置き換える。この置き換えにより、雛型アニメーションデータの第２フレーム６２には、ボイスアニメーションパーツとして、「ハナコサンカラダ」というパーツが埋め込まれる。なお、Ｆｒｏｍ：Ｐａｒｔｓ６６の置き換えについては前述の通りである。
【００７６】
”本文”について、アニメーション作成部１０３は、その内容を示すテキストデータを音声データに変換する。この場合”「荷物（柿）届きましたか？」っておばあちゃんがいってましたよ。”というテキストデータをデータ加工部３５はテキスト音声変換部１０４に渡す。テキスト音声変換部１０４は、これを「ニモツカキトドキマシタカッテオバアチャンガイッテマシタヨ」という音声データに変換しこれをデータ加工部３５へ返す。
【００７７】
そして、データ加工部３５は雛型アニメーションデータに埋め込まれているアニメーションパーツと抽出されたＥメールの項目との対応表１２２（図１４）を参照して、Ｖｏｉｃｅ３：Ｐａｒｔｓ１１３を上記音声データに置き換える。この置き換えにより、雛型アニメーションデータの第３フレーム６３には、「ニモツカキトドキマシタカッテオバアチャンガイッテマシタヨ」という音声データが埋め込まれる。なお、Ｓｕｂｊｅｃｔ：Ｐａｒｔｓ６７およびＢｏｄｙ：Ｐａｒｔｓ６８については、前述の通りである。
【００７８】
以上の処理により、雛型アニメーションデータにおけるアニメーションパーツおよびボイスアニメーションパーツの置き換えが完了し、受信したＥメールについてのアニメーションデータが完成する。
【００７９】
最後に、アニメーション作成部１０３におけるデータ加工部３５は、第１〜第３フレーム６１〜６３に埋め込まれたボイスアニメーションパーツの再生時間に応じて第１〜第３フレーム６１〜６３の表示時間を変更する。例えばＶｏｉｃｅ１：Ｐａｒｔｓ１１１の再生時間が３秒、Ｖｏｉｃｅ２：Ｐａｒｔｓ１１２の再生時間が１秒、Ｖｏｉｃｅ３：Ｐａｒｔｓ１１３の再生時間が５秒であるとすると、第１フレーム６１は時刻０秒から時刻３秒まで表示され、第２フレーム６２は時刻３秒から時刻４秒まで表示され、第３フレーム６３は時刻４秒から時刻９秒まで表示されるようにアニメ表示時間を修正する。
【００８０】
上記のようにして作成されたアニメーションデータは表示部４によりユーザに提示される。このとき、ボイスアニメーションパーツは、音声再生部７により、ボイスアニメーションパーツが埋め込まれた第１〜第３フレーム６１〜６３の表示と同期が取られた状態にて音声に再生される。
【００８１】
具体的には、まず、第１フレーム６１が時刻０秒から時刻３秒まで表示される間に、Ｖｏｉｃｅ１：Ｐａｒｔｓ１１１に埋め込まれたボイスアニメーションパーツとしての音声データ「タロウサン、メールガトドイタヨ」が音声再生部７により再生される。次に、第２フレーム６２が時刻３秒から時刻４秒まで表示される間に、Ｖｏｉｃｅ２：Ｐａｒｔｓ１１２に埋め込まれたボイスアニメーションパーツとしての音声データ「ハナコサンカラダ」が音声再生部７により再生される。次に、第３フレーム６３が時刻４秒から時刻９秒まで表示される間に、Ｖｏｉｃｅ３：Ｐａｒｔｓ１１３に埋め込まれたボイスアニメーションパーツとしての音声データ「ニモツカキトドキマシタカッテオバアチャンガイッテマシタヨ」が音声再生部７により再生される。
【００８２】
図１５は、本実施の形態におけるコンテンツ受信通知装置１０１がＥメールを受信してからユーザにＥメールの受信を通知するまでの処理の流れを示すフローチャートである。
【００８３】
まず、受信部２がＥメールを受信する（Ｓ２１）。受信部２は受信したＥメールの解析を行い、ヘッダー部５１の”Ｆｒｏｍ：”項目、”Ｔｏ：”項目、”Ｓｕｂｊｅｃｔ：”項目、”Ｄａｔｅ：”項目と、本文部５２の”本文”を抽出する（Ｓ２２）。
【００８４】
次に、アニメーション作成部１０３は、受信部２において抽出された各項目の内容に基づいて、各項目毎にアニメーションパーツ（音声データを含む）を作成する（Ｓ２３）。
【００８５】
次に、アニメーション作成部１０３は、作成したアニメーションパーツを雛型アニメーションデータに埋め込む（Ｓ２４）。
【００８６】
次に、アニメーション作成部１０３は、作成したアニメーションデータの各フレームの表示時刻を、各フレームに埋め込まれたアニメーションパーツ（音声データ）の再生時間に応じて、適宜変更する（Ｓ２５）。
【００８７】
次に、表示部４はアニメーション作成部１０３において作成されたアニメーションデータの表示を行い、音声再生部７は音声データの再生を行う（Ｓ２６）。
【００８８】
〔実施の形態３〕
本発明の実施のさらに他の形態を以下に説明する。
本実施の形態のコンテンツ受信通知装置２０１（図１参照）は、実施の形態１における、受信した例えばＥメールに基づくアニメーションデータの作成機能に加えて、電話回線に接続して電話信号を受信し、留守番録音機能により録音された音声データに基づいてアニメーションデータを作成する機能を備えている。以下、その詳細について説明する。
【００８９】
コンテンツ受信通知装置２０１は、図１に示すように、受信部２０２、アニメーション作成部３、表示部４および音声再生部７を備えている。
【００９０】
図１６は、本実施の形態における受信部２０２（図１）の構成を示すブロック図である。本実施の形態において、前記通信路５は電話回線２１１である。受信部２０２は、電話情報生成部２１２、留守録メッセージ発信部２１３、メッセージ記録部２１４、音声認識部２１５および制御部２１６を備えている。
【００９１】
上記の受信部２０２において、電話回線２１１から電話信号が伝送されてくると、電話情報作成部２１２は、発信者の電話番号を作成する。留守録メッセージ発信部２１３は、定型のアナウンス「お名前、ご用件をおはなしください」等を発信し、発信者にユーザへのメッセージを発言するように促す。メッセージ記録部２１４は、発信者が発言したメッセージを録音する。音声認識部２１５は、メッセージ記録部２１４が録音したメッセージを音声認識し、テキストデータに変換する。制御部２１６は、電話情報作成部２１２、留守録メッセージ発信部２１３、メッセージ記録部２１４および音声認識部２１５を制御し、受信部２０２において作成されたデータをアニメーション作成部３に提供する。また、制御部２１６は時計機能を有し、時刻の情報が得られるようになっている。
【００９２】
図１７は、受信部２０２が電話信号を解析することにより得られた各電話情報の項目とその内容との一例を示す表２２１である。表２２１において、電話情報作成部２１２で作成された発信者の電話番号は、「０７４３６５９９９９」である。メッセージ記録部２１４にて録音された音声データは、「カトウデスケドアスジュウジニソチラニウカガイマスノデヨロシク」である。この音声データを音声認識部２１５が認識した結果のテキストデータは、「加藤ですけど明日１０時にそちらに伺いますのでよろしく」である。また、上記メッセージが着信した時刻の時刻情報は、「Ｗｅｄ，　７　Ｄｅｃ　２００１　２２：１０：４５」である。
【００９３】
アニメーション作成部３では、受信部２０２において作成された表２２１に示されるデータをアニメーションデータに変換する。図１８は、アニメーション作成部３においてアニメーション作成に使用される雛型アニメーションデータを示す説明図である。
【００９４】
同図に示す雛型アニメーションデータは、第１および第２の２つのフレーム２３１，２３２から構成されており、これら第１および第２フレーム２３１，２３２は例えば２秒ずつ表示されるように制御される。即ち、第１フレーム２３１が時刻０秒から時刻２秒まで表示され、第２フレーム２３２が時刻２秒から時刻４秒まで表示される。その後、第１フレーム２３１が時刻４秒から時刻６秒まで表示され、以後同様にして２つのフレーム２３１，２３２が繰り返し表示される。
【００９５】
第１および第２フレーム２３１，２３２にはいくつかのアニメーションパーツが埋め込まれており、受信部２０２にて作成された電話情報の項目に応じてそれらアニメーションパーツが変更される。この例では、アニメーションパーツとして、Ｆｒｏｍ：Ｐａｒｔｓ２３３、Ｄａｔｅ：Ｐａｒｔｓ２３４およびＢｏｄｙ：Ｐａｒｔｓ２３５があり、アニメーションパーツのうちのボイスアニメーションパーツとして、Ｖｏｉｃｅ１：Ｐａｒｔｓ２３６およびＶｏｉｃｅ２：Ｐａｒｔｓ２３７がある。
【００９６】
Ｆｒｏｍ：Ｐａｒｔｓ２３３、Ｄａｔｅ：Ｐａｒｔｓ２３４およびＶｏｉｃｅ１：Ｐａｒｔｓ２３６は第１フレーム２３１に埋め込まれ、Ｂｏｄｙ：Ｐａｒｔｓ２３５およびＶｏｉｃｅ２：Ｐａｒｔｓ２３７は第２フレーム２３２に埋め込まれている。ただし、Ｖｏｉｃｅ１：Ｐａｒｔｓ２３６およびＶｏｉｃｅ２：Ｐａｒｔｓ２３７は、音声データが埋め込まれるパーツであり、アニメーションデータが表示されるときに視覚化されない。
【００９７】
上記の構成において、アニメーション作成部３は、受信部２０２において作成された電話情報の各項目に応じてアニメーションパーツの作成を行う。
【００９８】
”発信者電話番号”項目について、アニメーション作成部３は、電話番号とそれに対応するアニメーションパーツとの対応表２２２（図１９）を予め備えている。この対応表２２２に登録されているアニメーションパーツの例を図２０（ａ）〜図２０（ｃ）に示す。図２０（ａ）はＦｒｏｍＴａｒｏｕ．ｐａｒｔｓを示し、図２０（ｂ）はＦｒｏｍＭｉｓａｅ．ｐａｒｔｓを示し、図２０（ｃ）はＦｒｏｍＫｅｎｎｊｉ．ｐａｒｔｓを示している。”発信者電話番号”項目の内容が「０７４３６５９９９９」であるので、アニメーション作成部３は、アニメーションパーツとして、これに対応するＦｒｏｍＴａｒｏｕ．ｐａｒｔｓを選択する。
【００９９】
次に、アニメーション作成部３は、雛型アニメーションデータに埋め込まれているアニメーションパーツと作成された電話情報の項目との対応表２２３（図２１）を参照し、Ｆｒｏｍ：Ｐａｒｔｓ２３３をＦｒｏｍＴａｒｏｕ．ｐａｒｔに置き換える。この置き換えにより、雛型アニメーションデータの第１フレーム２３１には、図２３に示すように、図２０（ａ）に示したＦｒｏｍＴａｒｏｕ．ｐａｒｔ２４１が埋め込まれる。
【０１００】
次に、アニメーション作成部３は、対応表２２２（図１９）を参照し、”発信者電話番号”項目に対応するボイスアニメーションパーツとして、ＶｏｉｃｅＴａｒｏｕ．ｐａｒｔｓを選択する。さらに、雛型アニメーションデータに埋め込まれているアニメーションパーツと作成された電話情報の項目との対応表２２３（図２１）を参照し、Ｖｏｉｃｅ１：Ｐａｒｔｓ２３６をＶｏｉｃｅＴａｒｏｕ．ｐａｒｔｓに置き換える。図２２は、アニメーション作成部３が備える、各ボイスアニメーションパーツの例とこれに対応する音声データとの対応関係を示す対応表２２４である。上記の置き換えにより、図２３に示すように、第１フレーム２３１には、図２３に示すように、「タロウサンカラオデンワデス」という音声データ２４４が埋め込まれる。
【０１０１】
電話情報の”録音メッセージ”項目は、内容が音声データである。したがって、アニメーション作成部３は、雛型アニメーションデータに埋め込まれているアニメーションパーツと作成された電話情報の項目との対応表２２３（図２１）を参照し、Ｖｏｉｃｅ２：Ｐａｒｔｓ２３７を上記音声データに置き換える。これにより、雛型アニメーションデータの第２フレーム２３２には、図２３に示すように、「カトウデスケドアスジュウジニソチラニウカガイマスノデヨロシク」という音声データ２４５が埋め込まれる。
【０１０２】
電話情報の”文字列メッセージ”項目は、内容がテキストデータである。したがって、アニメーション作成部３は、上記テキストデータをアニメ化してアニメーションパーツを作成し、上記対応表２２３（図２１）を参照して、Ｂｏｄｙ：Ｐａｒｔｓ２３５を上記アニメーションパーツ（文字列メッセージパーツ）に置き換える。この置き換えにより、第２フレーム２３２には、「加藤ですけど明日１０時にそちらに伺いますのでよろしく」という文字列メッセージパーツ２４３が埋め込まれる。
【０１０３】
電話情報の”時刻”項目について、アニメーション作成部３は、”時刻”項目の内容に応じてテキストデータを作成し、これをアニメ化してアニメーションパーツを作成する。さらに、アニメーション作成部３は、上記対応表２２３（図２１）を参照し、Ｄａｔｅ：Ｐａｒｔｓ２３４を上記アニメーションパーツに置き換える。対応表２２３において、”時刻”項目の内容は「Ｗｅｄ，　７　Ｄｅｃ　２００１　２２：１０：４５」であるので、アニメーション作成部３は、これに基づいてテキストデータ「１１月７日ＰＭ１０：１０」を作成し、このテキストデータをアニメ化してアニメーションパーツを作成している。上記の置き換えにより、雛型アニメーションデータには、「１１月７日　ＰＭ１０：１０」という日時パーツ２４２が埋め込まれる。
【０１０４】
さらに、アニメーション作成部３は、”時刻”項目の内容（日時パーツ２４２の内容）を音声データに変換し、その音声データを対応表２２３を参照してＶｏｉｃｅ１：Ｐａｒｔｓ２３６（音声データ２４４）に追加する。この結果、雛型アニメーションデータの第１フレーム２３１に埋め込まれた音声データ２４４は、「タロウサンカラオデンワデス　ゴゴジュウジジュップンデス」となる。
【０１０５】
最後に、アニメーション作成部３は、第１および第２フレーム２３１，２３２に埋め込まれた種々のアニメーションパーツのデータサイズまたは再生時間に応じて第１および第２フレーム２３１，２３２の表示時間を修正する。例えば、Ｖｏｉｃｅ１：Ｐａｒｔｓ２３６の再生時間が３秒であるとすると、第１フレーム２３１は時刻０秒から時刻３秒まで表示されるように表示時間を修正する。あるいはＶｏｉｃｅ２：Ｐａｒｔｓ２３７の再生時間が５秒であるものの、Ｂｏｄｙ：Ｐａｒｔｓ２３５のテキストの文字数が２６文字であり、黙読の適当な速度が１文字あたり０．５秒と設定されている場合、Ｂｏｄｙ：Ｐａｒｔｓ２３５の文字数は１３秒に相当するので、第２フレーム２３２は時刻３秒から時刻１６秒までの１３秒間表示されるように表示時間を修正する。
【０１０６】
上記のようにして作成されたアニメーションデータは、表示部４によりユーザに提示される。この場合、ボイスアニメーションパーツはパーツが埋め込まれたフレームの表示と同期が取られて音声再生部７により音声に再生される。
【０１０７】
本実施の形態においては、第１フレーム２３１が時刻０秒から時刻３秒まで表示される間に、Ｖｏｉｃｅ１：Ｐａｒｔｓ２３６に埋め込まれたボイスアニメーションパーツである音声データ「タロウサンカラオデンワデス　ゴゴジュウジジュップンデス」が音声再生部７により再生される。次に、第２フレーム２３２が時刻３秒から時刻８秒まで表示される間に、Ｖｏｉｃｅ２：Ｐａｒｔｓ２３７に埋め込まれたボイスアニメーションパーツである音声データ「カトウデスケドアスジュウジニソチラニウカガイマスノデヨロシク」が音声再生部７により再生される。
【０１０８】
図２４は本実施の形態において、コンテンツ受信通知装置２０１が電話回線２１１に接続して電話信号を受信し、留守番録音機能により録音された音声データをアニメーションデータに変換してユーザに提示するまでの処理の流れを示すフローチャートである。
【０１０９】
まず、受信部２０２が電話信号を受信すると（Ｓ３１）、受信部２０２の電話情報作成部２１２は、受信された電話信号から発信者の電話番号を作成する（Ｓ３２）。次に、留守録メッセージ発信部２１３は、メッセージの発言を促すメッセージを発信者に発信する（Ｓ３３）。次に、メッセージ記録部２１４は発信者の発言したメッセージを録音する（Ｓ３４）。次に、音声認識部２１５は、メッセージ記録部２１４にて録音された発信者のメッセージを音声認識し、文字列データに変換する（Ｓ３５）。
【０１１０】
次に、アニメーション作成部３は、受信部２０２において取得された、発信者の電話番号、発信者の録音メッセージ、この録音メッセージを文字列に変換した文字列メッセージ、並びに時刻の情報から、予め用意された対応表にしたがってアニメーションパーツを作成する（Ｓ３６）。
【０１１１】
次に、アニメーション作成部３は、作成したアニメーションパーツを雛型アニメーションデータの各フレームに埋め込む（Ｓ３７）。次に、アニメーション作成部３は、作成したアニメーションデータの各フレームの表示時間を、フレームに埋め込まれたアニメーションパーツの再生時間に応じて適宜変更する（Ｓ３８）。
【０１１２】
次に、表示部４は、アニメーション作成部３において作成されたアニメーションデータを表示する。また、音声再生部７は、アニメーションデータに音声データが含まれていればそれを再生する（Ｓ３９）。
【０１１３】
本実施の形態のコンテンツ受信通知装置２０１が受信するコンテンツとしては、Ｅメール、または電話番号や留守録メッセージなどの電話情報等に限定されない。これら以外のコンテンツとしては、例えばＦＡＸにおいて受信する画像データがあり、これをアニメーションパーツとしてアニメーションにすることはコンテンツ受信通知装置２０１において容易である。
【０１１４】
また、他の例としては、ドアフォンとの通信によりドアフォンから送られてくる画像データや音声データがあり、これらをアニメーションパーツとしてアニメーションにすることもコンテンツ受信通知装置２０１において容易である。
【０１１５】
さらには、家庭内の家電機器、例えばエアコン（エアーコンディショナー）との通信により、エアコンから送られてくる温度、湿度あるいは外気温などのデータがあり、これらをアニメーションパーツとしてアニメーションにすることもコンテンツ受信通知装置２０１において同様に容易である。
【０１１６】
〔実施の形態４〕
本発明のさらに他の実施の形態を以下に説明する。
本実施の形態のコンテンツ受信通知装置は、ユーザに提示するデータとユーザに提示しないデータとを区別することにより、例えばユーザが未読のものなど、ユーザが希望するコンテンツに関するアニメーションのみをユーザに提示するようになっている。
【０１１７】
図２５は、本実施の形態のコンテンツ受信通知装置３０１の構成を示すブロック図である。コンテンツ受信通知装置３０１は、アニメーション作成部３により作成されたアニメーションデータを管理する管理部３０２をさらに備えている。この管理部３０２は、複数のアニメーションデータのうち、表示部４に表示するデータ（ユーザに提示するデータ）と表示部４に表示しないデータ（ユーザに提示しないデータ）とを区別するものである。アニメーション作成部３では、ユーザに提示すべきアニメーションデータを連結して１つのアニメーションデータとし、このアニメーションデータが表示部４にて表示される。これにより、コンテンツ受信通知装置３０１では、例えばユーザが未読のものなど、ユーザが希望するコンテンツに関するアニメーションデータのみを表示部４に表示（ユーザに提示）するようになっている。
【０１１８】
図２６は、図２５に示した管理部３０２の構成を示すブロック図である。同図に示すように、管理部３０２は、記憶部３１１、制御部３１２およびフラグ情報入出力部３１３を備えている。
【０１１９】
記憶部３１１は、アニメーション作成部３にて作成されたアニメーションデータを記憶する。また、記憶部３１１は、記憶するアニメーションデータを管理するための、図２７に示すアニメーションデータ管理表３２１を備えている。
【０１２０】
制御部３１２は、フラグ情報入出力部３１３へアニメーションデータ管理表３２１に記憶されている情報を提供する。また、制御部３１２は、フラグ情報入出力部３１３から提供される情報に基づいてアニメーションデータ管理表３２１を更新するとともに、アニメーションデータ管理表３２１に記憶されている情報に基づいてアニメーション作成部３に対してアニメーションデータの連結を指示する。さらに、制御部３１２は、アニメーション作成部３にて連結されたアニメーションデータを表示部４さらには必要に応じて音声再生部７に出力する。
【０１２１】
フラグ情報入出力部３１３は、制御部３１２からアニメーションデータ管理表３２１の情報を受け取り表示部４に表示させるとともに、その表示に基づくユーザからの入力（例えばキー入力）を受けて、アニメーションデータ管理表３２１についての変更情報を制御部３１２に与える。
【０１２２】
図２７は、管理部３０２の記憶部３１１が記憶しているアニメーションデータ管理表３２１を示す図である。このアニメーションデータ管理表３２１では、アニメーション作成部３にて各コンテンツ毎に作成されたアニメーションデータを単体アニメーションデータの項目において管理し、フラグ情報に基づいてアニメーション作成部３にて連結されたアニメーションデータを連結アニメーションデータの項目（図示せず）において管理している。
【０１２３】
アニメーションデータ管理表３２１において、各単体アニメーションデータは、ファイル名とフラグの項目を有している。フラグにはＯＮまたはＯＦＦが設定され、ＯＮは連結を表し、ＯＦＦは非連結を表している。
【０１２４】
単体アニメーションデータのフラグは、ユーザからのフラグ情報入出力部３１３を介した表示または非表示の入力に基づいて、制御部３１２により書き替えられる。即ち、ユーザは、表示部４において表示の必要がないと判断したアニメーションデータに対してはＯＦＦのフラグを設定し、表示をさせたいアニメーションにはＯＮのフラグをつける。ユーザによるこの選択は、例えばアニメーションデータ管理表３２１が表示部４に表示された状態にて行われる。
【０１２５】
記憶部３１１は、アニメーション作成部３から作成されたアニメーションデータを受けた場合に、添付されているファイル名によってそのデータが単体アニメーションデータと連結アニメーションデータとの何れであるかを識別する。ここで、単体アニメーションデータの場合にはデータを記憶し、アニメーションデータ管理表３２１に登録する。一方、連結アニメーションデータの場合には、そのデータを表示部４へ送る。本実施の形態において、上記の識別は、アニメーションデータ管理表３２１に示すように、単体アニメーションデータのファイル名の先頭が「Ｓ」で始まることの有無に基づいて行われる。
【０１２６】
図２８（ａ）〜図２８（ｃ）は、アニメーション作成部３におけるアニメーションデータの連結処理の説明図である。図２８（ａ）に示す単体アニメーションデータ３３１は、Ａ１からＡ３の３つのフレームにより構成され、Ａ１からＡ３と順に表示されると次にＡ１を表示し以後同様にフレームの表示が行われる。
【０１２７】
図２８（ｂ）に示す単体アニメーションデータ３３２は、Ｂ１からＢ２の２つのフレームにより構成され、Ｂ１からＢ２と順に表示されると次にＢ１を表示し以後同様にフレームの表示が行われる。
【０１２８】
図２８（ｃ）に示す連結アニメーションデータ３３３は、アニメーション作成部３にて上記の両単体アニメーションデータ３３１，３３２を連結したものである。この連結アニメーションデータ３３３は、Ａ１からＡ３と順に表示が行われた後、Ｂ１，Ｂ２が表示され、その後、Ａ１が表示され、以下同様にフレームの表示が行われることになる。
【０１２９】
次に、管理部３０２の動作を具体例により説明する。
管理部３０２の記憶部３１１は、アニメーションデータ管理表３２１を記憶するとともに、ファイル名「Ｓ００００００１．ａｎ」、「Ｓ００００００２．ａｎ」、「Ｓ００００００３．ａｎ」の各単体アニメーションデータを記憶している。
【０１３０】
この状態において、ユーザの入力操作により、フラグ情報入出力部３１３において「Ｓ００００００２．ａｎ」のフラグをＯＦＦにするように入力が行われると、制御部３１２は、アニメーションデータ管理表３２１の「Ｓ００００００２．ａｎ」のフラグをＯＦＦにする。さらに、制御部３１２は、アニメーションデータ管理表３２１に挙げられている単体アニメーションデータのうち、フラグがＯＮの単体アニメーションデータについて、アニメーション作成部３に対し連結するように要請する。この要請に基づき、アニメーション作成部３により、図２８（ａ）〜図２８（ｃ）に示したように、フラグがＯＮの単体アニメーションデータ同士が連結される。
【０１３１】
その後、制御部３１２では、アニメーション作成部３において作成された連結アニメーションデータを表示部４さらには必要に応じて音声再生部７に出力する。これにより、表示部４では連結アニメーションデータが表示される。さらには、音声再生部７において適宜音声データが再生される。
【０１３２】
図２９は、コンテンツ受信通知装置３０１の管理部３０２における、アニメーション作成部３からアニメーションデータを受け取った場合の処理の流れを示すフローチャートである。
【０１３３】
まず、管理部３０２は、アニメーション作成部３からアニメーションデータを受け取ると（Ｓ５１）、データのファイル名の先頭が「Ｓ」で始まるか否かにより、そのデータが単体アニメーションデータか連結アニメーションデータかを判断する（Ｓ５２）。この判断の結果、上記データが連結アニメーションデータであれば、管理部３０２は、そのデータを表示部４に出力する（Ｓ５３）。
【０１３４】
一方、上記データが単体アニメーションデータであれば、そのファイル名がアニメーションデータ管理表３２１に登録されているか否かを判定し（Ｓ５４）、登録されていなければ、そのファイル名をアニメーションデータ管理表３２１に追加し、フラグをＯＮとする（Ｓ５５）。そして、アニメーションデータ管理表３２１に登録されている単体アニメーションデータのうち、フラグがＯＮのもののみを連結するように、アニメーション作成部３に要請する（Ｓ５６）。
【０１３５】
また、Ｓ５４において、アニメーション作成部３から受け取ったアニメーションデータが既にアニメーションデータ管理表３２１に登録されているものと判断した場合には、ファイルの上書きを行う（Ｓ５７）。
【０１３６】
図３０は、本実施の形態のコンテンツ受信通知装置３０１において、フラグ情報入出力部３１３がユーザからの入力を受けた場合における管理部３０２の処理の流れを示すフローチャートである。
【０１３７】
まず、管理部３０２の制御部３１２は、ユーザから入力されたフラグ情報を受けると（Ｓ６１）、アニメーションデータ管理表３２１にそのフラグ情報を反映させる（Ｓ６２）。そして、制御部３１２は、アニメーションデータ管理表３２１に登録されている単体アニメーションデータのうち、フラグがＯＮのもののみを連結するように、アニメーション作成部３に要請する（Ｓ６３）。
【０１３８】
上記のように、アニメーションデータ管理表３２１においてフラグがＯＮの単体アニメーションデータは、ユーザの入力によりフラグをＯＦＦにされない限り、新しく受信したコンテンツに基づいて作成されたアニメーションと連結され、いつまでも受信部２にて表示されることになる。このような構成により、例えばユーザが望むアニメーションデータを受信部２に表示させておき、そのアニメーションデータによって示されるコンテンツが受信された事実をユーザが忘れ去る事態を避けることが可能となる。
【０１３９】
〔実施の形態５〕
本発明の実施のさらに他の形態を以下に説明する。
本実施の形態のコンテンツ受信通知装置は、親機にてコンテンツを受信してアニメーションデータを作成し、作成したアニメーションデータを親機から子機に送信し、子機にてアニメーションデータを表示するようになっている。
【０１４０】
図３１は、本実施の形態におけるコンテンツ受信通知装置４０１を説明するブロック図である。コンテンツ受信通知装置４０１は、親機４０２と子機４０３とを備えている。親機４０２は、受信部２、アニメーション作成部３および送信部４１１を備えている。子機４０３は、受信部４１２、表示部４および音声再生部７を備えている。
【０１４１】
コンテンツ受信通知装置４０１において、親機４０２は、通信ネットワーク６および通信路５を介して送られてきたコンテンツを受信部２が受信すると、アニメーション作成部３が、そのコンテンツからアニメーションデータを作成する。そして、作成されたアニメーションデータを送信部４１１により受信部４１２へ送信する。
【０１４２】
子機４０３では、受信部４１２が上記アニメーションデータを受信し、そのアニメーションデータが表示部４に表示され、さらには必要に応じて音声再生部７により再生される。親機４０２と子機４０３との通信形態、即ち送信部４１１と受信部４１２との通信形態は、コードレス通信や無線ＬＡＮなどの無線通信、あるいは１０　ＢＡＳＥ　Ｔ　方式などを用いた有線通信であってもよい。
【０１４３】
本実施例の形態のコンテンツ受信通知装置４０１では、子機４０３を普段ユーザが宅内で時間を過ごす居間や台所に配置することにより、コンテンツの着信およびその内容を即座に確認することが可能となる。あるいは、子機４０３は、テレビに組み込まれ、コンテンツが着信するとテレビの子画面にアニメーションデータを表示する構成であってもよい。
【０１４４】
上記のように、ユーザに送られてくるコンテンツは電話の音声データであったりＥメールの文字列データであったりといったように、聴覚情報のみだったり視覚情報のみであったりするものの、本実施の形態の情報受信通知装置のように、これらは一方から他方の感覚情報に変換することで、例えば文字列データであれば、ユーザには文字列を表示すると同時に文字を音声に変換して発音することで、ユーザの理解を容易にすることができる。
【０１４５】
また、宅外からの電話回線と接続している電話機親機やＰＣは普段ユーザが宅内で時間を過ごす部屋とは異なる場所に配置されている場合が多く、電話やＥメールが着信した場合にその内容を確かめるには電話機親機やＰＣの前まで行って端末を操作しなければならなかったが、コンテンツ受信通知装置４０１により、このような問題も解決可能である。
【０１４６】
また、従来、電話やインターネットメールの受信をユーザに通知するには、あらかじめ用意された着信音や着信アニメによる方法しかなく、受信した内容を即座にユーザに提示する方法はなかったが、本コンテンツ受信通知装置によれば、受信した電話やインターネットメールの内容をアニメーション作成手段によりアニメ化しユーザに表示することができる。
【０１４７】
なお、本発明の目的は、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１４８】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【０１４９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１５０】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５１】
以上のように、本発明のコンテンツ受信通知装置は、コンテンツを受信する受信手段がコンテンツを受信したことを、ユーザに通知するコンテンツ受信通知装置であって、前記受信されたコンテンツを解析／加工しアニメーションデータにするアニメーション作成手段と、前記加工されたアニメーションデータを表示する表示手段を有し、前記表示手段にて前記加工されたアニメーションデータを自動的に表示することで前記コンテンツが前記受信手段に受信されたことをユーザに通知することを特徴としている。
【０１５２】
また、本発明のコンテンツ受信通知装置は、前記コンテンツ受信手段と前記アニメーション作成手段とを有する第１の装置と、前記アニメ表示手段を有する第２の装置からなり、前記第１の装置は作成したアニメーションデータを第２の装置に送信する送信手段を有し、前記第２の装置は第１の装置から送信されたアニメーションデータを受信する受信手段を有し、第２の装置の表示手段にて前記加工されたアニメーションデータを自動的に表示することでユーザに第１の装置に接近させることなくコンテンツの受信を通知することを特徴としている。
【０１５３】
上記のコンテンツ受信通知装置において、前記アニメーション作成手段は、受信したコンテンツの一部またはすべてが音声データの場合に前記音声データをテキストデータに変換する手段を有し、前記変換されたテキストデータのデータサイズに応じて前記作成するアニメーションデータの表示時刻情報を修正することを特徴としている。
【０１５４】
上記のコンテンツ受信通知装置において、前記アニメーション作成手段は、受信したコンテンツの一部またはすべてがテキストデータの場合に前記テキストデータを音声データに変換する手段を有し、前記変換された音声データの再生時間に応じて前記作成するアニメーションデータの表示時刻情報を修正することを特徴としている。
【０１５５】
上記のコンテンツ受信通知装置は、前記アニメーション作成手段により作成されたアニメーションデータを管理する管理手段を有し、この管理手段により複数のアニメーションデータのうちユーザに表示するデータとユーザに表示を行わないデータとを区別することを特徴としている。
【０１５６】
【発明の効果】
以上のように、本発明の情報受信通知装置は、情報信号を受信する受信手段と、この受信手段での情報信号の着信に応じて、その受信情報信号が示す情報の内容を解析する受信情報解析手段と、この受信情報解析手段により解析された前記受信情報信号の内容を示す報知情報信号を作成する報知情報作成手段と、前記報知情報信号に基づいた報知動作を行う報知手段とを備え、前記受信手段への情報信号の着信に応じて、前記報知手段による報知動作を自動的に行う構成である。
【０１５７】
また、本発明の情報受信通知方法は、情報信号の着信に応じて、その受信情報信号が示す情報の内容を解析するステップと、解析された前記受信情報信号の内容を示す報知情報信号を作成するステップと、前記報知情報信号に基づいた報知動作を行うステップとを備え、前記情報信号の着信に応じて、前記報知動作を自動的に行う構成である。
【０１５８】
これにより、情報信号の着信があったことのみに止まらず、受信情報信号の内容、例えば情報信号の発信者名やその情報信号に示されている要件、連絡事項までもが報知される。したがって、ユーザは、情報信号の着信通知を受けたときに、着信した情報信号についての一連の内容確認操作、例えば着信したＥメールを開くといった操作を行うことなく、受信情報信号の内容の概要を知ることができる。これにより、高い利便性を備えることができる。
【０１５９】
上記の情報受信通知装置は、少なくとも前記受信手段を有する第１装置と少なくとも前記報知手段を有する第２装置とを備え、第１装置は第２装置への信号の送信を行う送信手段をさらに有し、第２装置は第１装置から送信された信号の受信を行う受信手段をさらに有している構成としてもよい。
【０１６０】
これにより、報知手段、例えば表示部を有する第２装置を、例えば電話回線に接続された受信手段を有する第１装置とは離れた位置、即ち報知手段による着信の報知を確認し易い位置に配置することができ、装置の利便性をさらに高めることができる。
【０１６１】
本発明の情報受信通知装置は、情報信号を受信する受信手段と、この受信手段での情報信号の着信に応じて、その受信情報信号が示す情報の内容を解析する受信情報解析手段と、この受信情報解析手段により解析された前記受信情報信号の内容を示す表示情報信号を作成する表示情報作成手段と、前記表示情報信号を表示する表示手段とを備え、前記受信手段への情報信号の着信に応じて、前記表示情報信号を前記表示手段により自動的に表示する構成である。
【０１６２】
これにより、情報信号の着信があったことのみに止まらず、受信情報信号の内容、例えば情報信号の発信者名やその情報信号に示されている要件、連絡事項までもが表示手段に表示される。したがって、ユーザは、情報信号の着信通知を受けたときに、着信した情報信号についての一連の内容確認操作、例えば着信したＥメールを開くといった操作を行うことなく、受信情報信号の内容の概要を知ることができる。これにより、高い利便性を備えることができる。
【０１６３】
上記の情報受信通知装置は、前記受信情報解析手段により解析された受信情報信号の内容を示す音声情報信号を作成する音声情報作成手段と、前記音声情報信号を再生するとともに、この再生を、再生する音声情報信号に対応する前記表示情報信号が前記表示手段に表示されているときに行う音声情報再生手段とをさらに備え、前記表示手段は、前記音声情報再生手段により再生される音声情報信号の信号量に応じて、対応する表示情報信号の表示時間を設定する構成としてもよい。また、前記受信情報信号がテキストデータである構成としてもよい。
【０１６４】
これにより、受信情報信号の内容に基づいて作成された表示情報信号が表示手段に表示されるだけでなく、受信情報信号の内容に基づいて作成された音声情報信号が音声情報再生手段により再生される。しかも、この場合には、音声情報再生手段により再生される音声情報信号の信号量に応じて、対応する表示情報信号の表示時間が設定される。したがって、情報信号の着信およびその内容を視覚に加えて聴覚も利用して確実にユーザに知らせることができ、しかも、表示情報信号の表示と音声情報信号の再生とをバランスよく行うことができる。
【０１６５】
上記の情報受信通知装置は、前記受信情報信号が音声信号であり、前記表示情報信号がテキストデータである構成としてもよい。
【０１６６】
これにより、テキストデータを使用するＥメールに対しても適切に対応することができる。
【０１６７】
上記の情報受信通知装置は、前記受信情報信号が音声信号であり、前記表示手段が、前記音声信号の信号量に応じて、対応する表示情報信号の表示時間を設定する構成としてもよい。
【０１６８】
上記の構成によれば、情報信号として受信された音声信号は、受信情報解析手段により解析され、表示情報信号に変換され、表示手段により表示される。この場合、表示情報信号の表示時間は受信情報信号としての音声信号の信号量に応じて設定されるので、表示情報信号をユーザがその内容を確認する上において適切な時間だけ表示することができる。
【０１６９】
本発明の情報受信通知装置は、情報信号を受信する受信手段と、この受信手段での情報信号の着信に応じて、その受信情報信号が示す情報の内容を解析する受信情報解析手段と、この受信情報解析手段により解析された前記受信情報信号の内容を示す音声情報信号を作成する音声情報作成手段と、前記音声情報信号を再生する音声情報再生手段とを備え、前記受信手段への情報信号の着信に応じて、前記音声情報信号を前記音声情報再生手段により自動的に再生する構成である。
【０１７０】
これにより、情報信号の着信があったことのみに止まらず、受信情報信号の内容、例えば情報信号の発信者名やその情報信号に示されている要件、連絡事項までもが音声情報再生手段にて再生される。したがって、ユーザは、情報信号の着信通知を受けたときに、着信した情報信号についての一連の内容確認操作、例えば着信したＥメールを開くといった操作を行うことなく、受信情報信号の内容の概要を知ることができる。これにより、高い利便性を備えることができる。
【０１７１】
上記の情報受信通知装置は、前記報知情報作成手段により作成された報知情報信号についての入力手段からの報知可否の入力に基づいて、前記報知手段への報知情報信号の供給を制御する管理手段を備えている構成としてもよい。
【０１７２】
これにより、ユーザの希望によって各報知情報信号についての報知の可否を設定することができるので、装置の利便性を高めることができる。
【０１７３】
上記の情報受信通知装置において、前記表示情報作成手段により作成される前記表示情報信号はアニメーションデータである構成としてもよい。
【０１７４】
これにより、表示情報信号を視認性が良好なアニメーションとして表示することができる。
【図面の簡単な説明】
【図１】本発明の実施の一形態におけるコンテンツ受信通知装置の概略構成を示すブロック図である。
【図２】図１に示した受信部の構成を示すブロック図である。
【図３】図１に示したアニメーション作成部の構成を示すブロック図である。
【図４】図１に示したコンテンツ受信通知装置が受信するＥメールの構成を示す説明図である。
【図５】図１に示したアニメーション作成部が備える雛型アニメーションデータを示す説明図である。
【図６】図１に示したアニメーション作成部が備える、各メールアドレスとそれに対応するアニメーションパーツとの対応表を示す図である。
【図７】図７（ａ）は、図６に示した対応表に登録されているアニメーションパーツにおけるＴｏＴａｒｏｕ．ｐａｒｔｓの例を示す説明図、図７（ｂ）は同ＴｏＭｉｓａｅ．ｐａｒｔｓの例を示す説明図、図７（ｃ）は同ＴｏＫｅｎｎｊｉ．ｐａｒｔｓの例を示す説明図である。
【図８】図１に示したアニメーション作成部が備える、雛型アニメーションデータに埋め込まれている各アニメーションパーツとそれに対応するＥメールの抽出された項目との対応表を示す図である。
【図９】図１に示したアニメーション作成部により作成された、受信Ｅメールについてのアニメーションデータを示す説明図である。
【図１０】図１に示したコンテンツ受信通知装置において、Ｅメールを受信してからアニメーションデータによりユーザにＥメールの受信を通知するまでの処理を示すフローチャートである。
【図１１】本発明の実施の他の形態におけるアニメーション作成部の構成を示すブロック図である。
【図１２】図１１に示したアニメーション作成部が備える雛型アニメーションデータを示す説明図である。
【図１３】図１１に示したアニメーション作成部が備える、各メールアドレスとそれに対応するボイスアニメーションパーツとの対応表を示す図である。
【図１４】図１１に示したアニメーション作成部が備える、雛型アニメーションデータに埋め込まれている各アニメーションパーツ（ボイスアニメーションパーツを含む）とそれに対応するＥメールの抽出された項目との対応表を示す図である。
【図１５】本発明の実施の他の形態におけるコンテンツ受信通知装置において、Ｅメールを受信してからアニメーションデータによりユーザにＥメールの受信を通知するまでの処理を示すフローチャートである。
【図１６】本発明の実施のさらに他の形態のコンテンツ受信通知装置が備える受信部の構成を示すブロック図である。
【図１７】図１６に示した受信部が電話信号を解析することにより得られた各電話情報の項目とその内容との一例の表を示す図である。
【図１８】図１６に示した受信部からのデータを処理するアニメーション作成部が備える雛型アニメーションデータを示す説明図である。
【図１９】図１８に示した雛型アニメーションデータを使用するアニメーション作成部が備える、発信者電話番号とそれに対応するアニメーションパーツ（ボイスアニメーションパーツを含む）との対応表を示す図である。
【図２０】図２０（ａ）は、図１９に示した対応表に登録されているアニメーションパーツにおけるＦｒｏｍＴａｒｏｕ．ｐａｒｔｓの例を示す説明図、図２０（ｂ）は同ＦｒｏｍＭｉｓａｅ．ｐａｒｔｓの例を示す説明図、図２０（ｃ）は同ＦｒｏｍＫｅｎｎｊｉ．ｐａｒｔｓの例を示す説明図である。
【図２１】図１８に示した雛型アニメーションデータを使用するアニメーション作成部が備える、雛型アニメーションデータに埋め込まれている各アニメーションパーツとそれに対応する電話情報の項目との対応表を示す図である。
【図２２】図１９に示した対応表に登録されている各ボイスアニメーションパーツとそれに対応する音声データとの対応表を示す図である。
【図２３】図１８に示した雛型アニメーションデータを使用するアニメーション作成部により作成された、受信電話信号についてのアニメーションデータを示す説明図である。
【図２４】本発明の実施のさらに他の形態におけるコンテンツ受信通知装置において、電話信号を受信し、留守番録音機能により録音された音声データをアニメーションデータに変換してユーザに提示するまでの処理を示すフローチャートである。
【図２５】本発明の実施のさらに他の形態におけるコンテンツ受信通知装置の概略構成を示すブロック図である。
【図２６】図２５に示した管理部の構成を示すブロック図である。
【図２７】図２５に示した記憶部に記憶されているアニメーションデータ管理表を示す図である。
【図２８】図２８（ａ）は３つのフレームからなる単体アニメーションデータの一例を示す説明図、図２８（ｂ）は２つのフレームからなる単体アニメーションデータの一例を示す説明図、図２８（ｃ）は、上記の両単体アニメーションデータを連結して作成された連結アニメーションデータを示す説明図である。
【図２９】図２５に示した管理部における、アニメーション作成部からアニメーションデータを受け取った場合の処理を示すフローチャートである。
【図３０】図２５に示した管理部における、フラグ情報の入力を受けた場合の処理を示すフローチャートである。
【図３１】本発明の実施のさらに他の形態におけるコンテンツ受信通知装置の概略構成を示すブロック図である。
【符号の説明】
１，１０１，２０１，３０１，４０１　　　　コンテンツ受信通知装置（情報受信通知装置）
２，２０２　　　　受信部
３，１０３　　　　アニメーション作成部（報知情報作成手段）
４　　　表示部（表示手段、報知手段）
５　　通信路
７　　音声再生部（音声情報作成手段、報知手段）
１１　　Ｅメール受信部（受信手段）
１２　　Ｅメール解析部（受信情報解析手段）
３１　　雛型アニメーションデータベース
５１　　ヘッダー部
５２　　本文部
６１，２３１　　　第１フレーム６１
６２，２３２　　　第２フレーム６２
６３　　　第３フレーム６３
１０４　　　テキスト／音声変換部（音声情報作成手段）
２０２　　受信部
２１２　　電話情報作成部
２１３　　留守録メッセージ発信部
２１４　　メッセージ記録部
２１５　　音声認識部
２１６　　制御部
３０２　　管理部（管理手段）
３１１　　記憶部
３１２　　制御部
３１３　　フラグ情報入出力部（入力手段）
３３１　　単体アニメーションデータ
３３２　　単体アニメーションデータ
３３３　　連結アニメーションデータ
４０２　　親機（第１装置）
４０３　　子機（第２装置）
４１１　　送信部（送信手段）
４１２　　受信部（受信手段）
【図１】
2004054343.tif 000003
【図２】
2004054343.tif 000004
【図３】
2004054343.tif 000005
【図４】
2004054343.tif 000006
【図５】
2004054343.tif 000007
【図６】
2004054343.tif 000008
【図７】
2004054343.tif 000009
【図８】
2004054343.tif 000010
【図９】
2004054343.tif 000011
【図１０】
2004054343.tif 000012
【図１１】
2004054343.tif 000013
【図１２】
2004054343.tif 000014
【図１３】
2004054343.tif 000015
【図１４】
2004054343.tif 000016
【図１５】
2004054343.tif 000017
【図１６】
2004054343.tif 000018
【図１７】
2004054343.tif 000019
【図１８】
2004054343.tif 000020
【図１９】
2004054343.tif 000021
【図２０】
2004054343.tif 000022
【図２１】
2004054343.tif 000023
【図２２】
2004054343.tif 000024
【図２３】
2004054343.tif 000025
【図２４】
2004054343.tif 000026
【図２５】
2004054343.tif 000027
【図２６】
2004054343.tif 000028
【図２７】
2004054343.tif 000029
【図２８】
2004054343.tif 000030
【図２９】
2004054343.tif 000031
【図３０】
2004054343.tif 000032
【図３１】
2004054343.tif 000033